(57)【要約】【課題】簡易にしてヒートポンプユニットにおける熱回収効率を向上することができる給湯装置を提供する。【解決手段】浴槽水循環経路(44)を流れる浴槽水(BW)とタンク水との間にて熱交換を行い、浴槽水を追い焚きする追い焚きユニット(6)と、第２浴槽水循環経路(50)を流れる浴槽水と冷媒循環経路を流れる冷媒との間にて熱交換を行い、ヒートポンプユニット(4)を介して浴槽水の熱を給湯ユニット(2)にて回収する熱回収ユニット(8)とを備え、浴槽(24)から第２浴槽水循環経路に浴槽水を出水する出水口(62)、第２浴槽水循環経路から浴槽に熱回収ユニットにて熱回収された後の浴槽水の戻り水(CW)を戻す戻り水口(60)を有し、戻り水口を出水口に比して上方に位置づける。【選択図】図４
2008292075.tif 000002
【特許請求の範囲】
【請求項１】
ヒートポンプユニットの冷媒循環経路を流れる冷媒と給湯ユニットのタンク水循環経路を流れるタンク水との間にて熱交換を行い、前記タンク水を所定温度に加熱して浴槽に浴槽水として供給する給湯装置であって、
浴槽水循環経路を流れる浴槽水と前記タンク水との間にて熱交換を行い、前記浴槽水を追い焚きする追い焚きユニットと、
第２浴槽水循環経路を流れる浴槽水と前記冷媒循環経路を流れる冷媒との間にて熱交換を行い、前記ヒートポンプユニットを介して前記浴槽水の熱を前記給湯ユニットにて回収する熱回収ユニットとを備え、
前記浴槽から前記第２浴槽水循環経路に前記浴槽水を出水する出水口、前記第２浴槽水循環経路から前記浴槽に前記熱回収ユニットにて熱回収された後の前記浴槽水の戻り水を戻す戻り水口を有し、
前記戻り水口を前記出水口に比して上方に位置づけることを特徴とする給湯装置。
【請求項２】
前記戻り水口は、前記戻り水を上方に向けて流出する上方ガイドを有することを特徴とする請求項１に記載の給湯装置。
【請求項３】
前記出水口は前記浴槽から前記浴槽水循環経路への前記浴槽水の出水に共用され、
該出水口に比して下方に位置づけられ、前記追い焚きユニットにて追い焚きされた後の前記浴槽水の戻り温水を前記浴槽内の下方に向けて流出する下方ガイドを有し、前記浴槽水循環経路から前記浴槽に前記戻り温水を戻す戻り温水口と、
前記浴槽に装着され、上側から順に前記戻り水口、前記出水口、前記戻り温水口を形成した接続部材とを有することを特徴とする請求項２に記載の給湯装置。
【請求項４】
前記接続部材は、前記戻り温水口と略同高さに、前記給湯ユニットにて加熱された後の前記タンク水が前記浴槽に供給される給湯口を有することを特徴とする請求項３に記載の給湯装置。
【請求項５】
前記追い焚きユニット及び前記熱回収ユニットは、前記出水口から延びる前記浴槽水循環経路及び前記第２浴槽水循環経路の一部が共用され、
前記追い焚きユニットと前記熱回収ユニットとを切り換える運転モード切換手段を備えたことを特徴とする請求項３又は４に記載の給湯装置。
【請求項６】
前記ヒートポンプユニットは、前記冷媒循環経路に、前記冷媒と大気との間にて熱交換する大気熱交換器、該大気熱交換器と並列に配置され前記冷媒と前記第２浴槽水循環経路を流れる浴槽水との間にて熱交換する熱回収熱交換器、前記大気熱交換器又は前記熱回収熱交換器を経由した冷媒を圧縮する圧縮機、該圧縮機を経由した冷媒と前記タンク水との間にて熱交換する放熱器、該放熱器を経由した冷媒を断熱膨張する膨張弁が順次介挿されてなり、
前記運転モード切換手段は、前記熱回収ユニットへの切り換え要求があるときには、前記出水口を前記第２浴槽水循環経路に連通するとともに、前記熱回収熱交換器を前記膨張弁に連通することを特徴とする請求項５に記載の給湯装置。
【請求項７】
前記運転モード切換手段は、前記大気熱交換器の除霜要求があるときには、前記大気熱交換器及び前記熱回収熱交換器の両方を前記膨張弁に連通させ、前記大気熱交換器に流入する冷媒温度を０℃以上に保持すべく、前記膨張弁を開閉することを特徴とする請求項６に記載の給湯装置。
【請求項８】
前記作動流体がＣＯ２からなる冷媒であることを特徴とする請求項１から７のいずれか一項に記載の給湯装置。
【発明の詳細な説明】
【技術分野】
【０００１】
本発明は、ヒートポンプユニットを備えた給湯装置に関する。
【背景技術】
【０００２】
近年、省エネや地球環境への負荷軽減を目的として、蒸気圧縮式のヒートポンプユニットを備えた給湯装置の普及が促進されつつある（特許文献１）。
一方、給湯装置としては、家庭用の風呂湯張り装置に浴槽の湯を追い焚きする追い焚きユニットを装備し、この追い焚きユニットを利用して浴槽の残り湯から熱回収する技術が知られており（特許文献２から４）、これらを上記特許文献１に適用すれば給湯装置の成績係数（ＣＯＰ）を向上することができる。
【特許文献１】特開２００２−１３０８１９号公報
【特許文献２】特開２００４−２５７６９２号公報
【特許文献３】特開２００５−１４７６６２号公報
【特許文献４】特開２００４−２９４０１９号公報
【発明の開示】
【発明が解決しようとする課題】
【０００３】
しかしながら、上記特許文献２から４では、追い焚きユニットは主として湯の追い焚きに使用され、浴槽の残り湯から回収される熱の熱回収効率については格別な配慮がなされていない。
また、上記特許文献２から４では、上記回収された熱を利用する点につき格別な配慮がなされておらず、ヒートポンプユニット構成の簡素化には依然として課題が残されている。
【０００４】
本発明は、このような課題に鑑みてなされたもので、簡易にしてヒートポンプユニットにおける熱回収効率を向上することができる給湯装置を提供することを目的とする。
【課題を解決するための手段】
【０００５】
上記の目的を達成するべく、請求項１記載の給湯装置は、ヒートポンプユニットの冷媒循環経路を流れる冷媒と給湯ユニットのタンク水循環経路を流れるタンク水との間にて熱交換を行い、タンク水を所定温度に加熱して浴槽に浴槽水として供給する給湯装置であって、浴槽水循環経路を流れる浴槽水とタンク水との間にて熱交換を行い、浴槽水を追い焚きする追い焚きユニットと、第２浴槽水循環経路を流れる浴槽水と冷媒循環経路を流れる冷媒との間にて熱交換を行い、ヒートポンプユニットを介して浴槽水の熱を給湯ユニットにて回収する熱回収ユニットとを備え、浴槽から第２浴槽水循環経路に浴槽水を出水する出水口、第２浴槽水循環経路から浴槽に熱回収ユニットにて熱回収された後の浴槽水の戻り水を戻す戻り水口を有し、戻り水口を出水口に比して上方に位置づけることを特徴としている。
【０００６】
また、請求項２記載の発明では、請求項１において、戻り水口は、戻り水を上方に向けて流出するガイドを有することを特徴としている。
更に、請求項３記載の発明では、請求項２において、出水口は浴槽から浴槽水循環経路への浴槽水の出水に共用され、出水口に比して下方に位置づけられ、追い焚きユニットにて追い焚きされた後の浴槽水の戻り温水を浴槽内の下方に向けて流出する下方ガイドを有し、浴槽水循環経路から浴槽に戻り温水を戻す戻り温水口と、浴槽に装着され、上側から順に戻り水口、出水口、戻り温水口を形成した接続部材とを有することを特徴としている。
【０００７】
更にまた、請求項４記載の発明では、請求項３において、接続部材は、戻り温水口と略同高さに、給湯ユニットにて加熱された後のタンク水が浴槽に供給される給湯口を有することを特徴としている。
また、請求項５記載の発明では、請求項３又は４において、追い焚きユニット及び熱回収ユニットは、出水口から延びる浴槽水循環経路及び第２浴槽水循環経路の一部が共用され、追い焚きユニットと熱回収ユニットとを切り換える運転モード切換手段を備えたことを特徴としている。
【０００８】
更に、請求項６記載の発明では、請求項５において、ヒートポンプユニットは、冷媒循環経路に、冷媒と大気との間にて熱交換する大気熱交換器、大気熱交換器と並列に配置され冷媒と第２浴槽水循環経路を流れる浴槽水との間にて熱交換する熱回収熱交換器、大気熱交換器又は熱回収熱交換器を経由した冷媒を圧縮する圧縮機、圧縮機を経由した冷媒とタンク水との間にて熱交換する放熱器、放熱器を経由した冷媒を断熱膨張する膨張弁が順次介挿されてなり、運転モード切換手段は、熱回収ユニットへの切り換え要求があるときには、出水口を第２浴槽水循環経路に連通するとともに、熱回収熱交換器を膨張弁に連通することを特徴としている。
【０００９】
更にまた、請求項７記載の発明では、請求項６において、運転モード切換手段は、大気熱交換器の除霜要求があるときには、大気熱交換器及び熱回収熱交換器の両方を膨張弁に連通させ、大気熱交換器に流入する冷媒温度を０℃以上に保持すべく、膨張弁を開閉することを特徴としている。
また、請求項８記載の発明では、請求項１から７のいずれかにおいて、作動流体がＣＯ２からなる冷媒であることを特徴としている。
【発明の効果】
【００１０】
従って、請求項１記載の本発明の給湯装置によれば、戻り水口を出水口に比して上方に位置づけることにより、出水口から出水する浴槽水に比して戻り水を上方に戻すことができる。これにより、低温で高密度の重い戻り水が浴槽の底部に滞留して浴槽水の低温度層が形成されることが防止され、浴槽水の対流が好適に促進されて熱回収ユニットを介したヒートポンプユニット、ひいては給湯装置における熱回収効率を大幅に向上することができる。
【００１１】
また、請求項２記載の発明によれば、戻り水口が戻り水を上方に向けて流出するガイドを有することにより、浴槽に貯留される浴槽水の上方、すなわち浴槽水の水面方向に流出させることができる。これにより、浴槽水の対流が更に好適に促進され、給湯装置における熱回収効率を大幅に向上することができる。
更に、請求項３から６記載の発明によれば、熱回収ユニットでの浴槽水からの熱回収と追い焚きユニットでの浴槽水の追い焚きとを簡単な構成で効率的に実施することができ、給湯装置における追い焚き効率を確保しつつ、その熱回収効率を向上することができる。
【００１２】
更にまた、請求項７記載の発明によれば、熱回収ユニットで回収された浴槽水の回収熱を利用して大気熱交換器を除霜することができるため、除霜のためのヒータ回路を別途設ける必要はない。これにより、ヒートポンプユニット、ひいては給湯装置の構成を簡素化しつつ、大気熱交換器における熱交換不良による圧縮機への液バック現象やこれに起因する圧縮機の焼き付きを確実に防止することができる。
【００１３】
しかも、熱回収ユニットで回収された熱のうち、除霜後に残った熱は給湯ユニット側に回収することもでき、これらにより、給湯装置の信頼性を確保しつつ、その熱回収効率を向上することができる。
また、請求項８記載の発明によれば、作動流体がＣＯ２からなる冷媒であることにより、ヒートポンプユニットは高温、高圧で作動するため、給湯装置の更なる熱回収効率及び信頼性の向上が求められるが、上記構成により、上記作用効果をより顕著なものとすることができる。
【発明を実施するための最良の形態】
【００１４】
以下、図面により本発明の一実施形態について説明する。
先ず、第１実施形態について説明する。
図１は給湯装置の一例として家庭用等に用いられる風呂湯張り装置１を概略的に示しており、この装置１は大きく分けて給湯ユニット２、ヒートポンプユニット４、追い焚きユニット６、熱回収ユニット８から構成されている。
【００１５】
給湯ユニット２は、タンク水が流れるタンク水循環経路１０を備え、このタンク水循環経路１０にはタンク水の流れ方向でみて、放熱器１２、貯湯タンク１４及びタンク水循環ポンプ１６等が順次介挿されている。また、給湯ユニット２は、給水経路１８及び給湯経路２０を備え、給水経路１８は貯湯タンク１４に向けて市水を給水し、給湯経路２０は貯湯タンク１４から手動の蛇口２２を介して浴槽２４に向けて、加熱されたタンク水を浴槽水として給湯する。
【００１６】
ヒートポンプユニット４は、例えばＣＯ２ガスの冷媒が流れる冷媒循環経路２６を備え、冷媒循環経路２６には冷媒の流れ方向でみて、大気と冷媒との間で熱交換を行う大気熱交換器２８、圧縮機３０、放熱器１２、膨脹弁３２等が順次介挿されている。すなわち、ヒートポンプユニット４は放熱器１２を介して給湯ユニット２と熱的に接続されている。
また、ヒートポンプユニット４は、大気熱交換器２８を迂回するバイパス路３４をも備え、バイパス路３４には熱回収熱交換器３６が介挿されている。そして、並列に配される冷媒循環経路２６の一部とバイパス路３４とには、それぞれ大気熱交換器２８、熱回収熱交換器３６の膨張弁３２側に大気熱交換器用電磁弁３８、熱回収熱交換器用電磁弁４０が介挿されている。更に、電磁弁３８と大気熱交換器２８との間には、この間を流れる冷媒の温度を検出する温度センサ４２が設置されている。
【００１７】
追い焚きユニット６は、浴槽２４に貯留された浴槽水が流れる浴槽水循環経路４４を備え、浴槽水循環経路４４には浴槽水の流れ方向でみて、浴槽２４、浴槽水循環ポンプ４６、追い焚き熱交換器４８が順次介挿されている。追い焚き熱交換器４８は、貯湯タンク１４の貯湯と浴槽水との熱交換を行ない、追い焚きユニット６及び給湯ユニット２を熱的に接続している。
【００１８】
熱回収ユニット８は、浴槽２４に貯留された浴槽水が流れる第２浴槽水循環経路５０を備え、第２浴槽水循環経路５０には浴槽水の流れ方向でみて、浴槽２４、浴槽水循環ポンプ４６、熱回収熱交換器３６が順次介挿されている。すなわち、熱回収ユニット８は熱回収熱交換器３６を介してヒートポンプユニット４と熱的に接続されている。
このように構成された装置１は、少なくとも給湯ユニット２及びヒートポンプユニット４を稼動することにより、大気熱交換器２８を介して大気から回収した熱で冷媒を加熱して加熱冷媒を形成し、放熱器１２を介して加熱冷媒でタンク水を加熱して貯湯を形成し、この貯湯が浴槽２４に給湯されて浴槽水として使用される。
【００１９】
ここで、ヒートポンプユニット４及び熱回収ユニット８は、浴槽２４から延びる経路４４，５０の一部を共用しており、共用経路５２に浴槽水循環ポンプ４６が介挿されて各ユニット４，８で共用されている。また、共用経路５２から各経路４４，５０に分岐する箇所には切換弁５４が設置されている。
切換弁５４は、浴槽２４から浴槽水を出水して熱交換器３６又は熱交換器４８のいずれかに流すべく、すなわち、熱回収ユニット８又は追い焚きユニット６のいずれかを稼動すべく選択可能に構成されている。
【００２０】
一方、上記した電磁弁３８,４０は、膨張弁３２を経由した冷媒が熱交換器２８，３６のいずれか又は両方に流れるように選択可能に構成されている。
詳しくは、切換弁５４は、電磁弁３８，４０、及び浴槽水循環ポンプ４６、膨張弁３２、温度センサ４２は、装置１の制御ユニット５６に電気的に接続されており、制御ユニット５６は、装置１を待機モードから追い焚きユニット６を稼働する追い焚きモード、又は熱回収ユニット８を稼働する熱回収モードに切り換える運転モード切換制御を実施している。
【００２１】
具体的には、制御ユニット５６は、いずれも図示しない、給湯ユニット２の稼動状況を検出するセンサや、装置１のユーザが操作する運転モード切換ボタン等の信号によって、追い焚きモードの運転要求Ｘ及び熱回収モードの運転要求Ｙを認識し、これら要求Ｘ，Ｙの有無に応じて、切換弁５４を切り換えるとともに電磁弁３８，４０をそれぞれ開閉し、浴槽水循環ポンプ４６を駆動する。
【００２２】
以下、図２に示されるフローチャートを参照して、運転モード切換制御の制御ルーチンについて詳しく説明する。なお、本制御ルーチンのスタート時点における装置１は、給湯ユニット２から浴槽２４へ所定量の浴槽水が給湯され、電磁弁３８，４０は閉弁するとともに浴槽水循環ポンプ４６は停止し、待機モードの状態となっている。
先ず、本制御ルーチンがスタートすると、Ｓ１（Ｓはステップを表し、以下も同様とする）において、要求Ｘがあるか否かを判定し、判定結果が真（Ｙｅｓ）で要求Ｘがあると判定された場合にはＳ２に移行し、判定結果が偽（Ｎｏ）で要求Ｘがないと判定された場合にはＳ３に移行する。
【００２３】
Ｓ２に移行した場合には、切換弁５４を追い焚き熱交換器４８側に開弁するとともに、電磁弁３８は閉弁、電磁弁４０は開弁して追い焚きモードの弁設定を行った後にＳ４に移行する。
一方、Ｓ３に移行した場合には、要求Ｙがあるか否かを判定し、判定結果が真（Ｙｅｓ）で要求Ｙがあると判定された場合にはＳ５に移行し、判定結果が偽（Ｎｏ）で要求Ｙがないと判定された場合には本制御ルーチンをリターンする。
【００２４】
Ｓ５に移行した場合には、切換弁５４を熱回収熱交換器３６側に開弁するとともに、電磁弁３８は閉弁、電磁弁４０は開弁して熱回収モードの弁設定を行った後にＳ４に移行する。
Ｓ４では、浴槽水循環ポンプ４６を駆動し、装置１の待機モードから追い焚きモード、又は熱回収モードへの切り換えを完了し、本制御ルーチンをリターンする。
【００２５】
こうして、装置１は、制御ユニット５６で要求Ｘ、又は要求Ｙがあると認識されたときには、待機モードから追い焚きモード、又は熱回収モードへ切り換えられ、その後、要求Ｘ及び要求Ｙがなくなったと認識されたときには、追い焚きモード、又は熱回収モードから待機モードに再び戻され、一方、要求Ｘ及び要求Ｙがないときには、継続して待機モードの状態にされる。
【００２６】
ところで、再び図１を参照すると、各経路４４，５０，５２は、浴槽２４に接続部材５８を介して接続されており、接続部材５８は、浴槽２４の底部２４ａ近傍の浴槽壁２４ｂに設置されている。
図３の浴槽２４内側からみた接続部材５８の平面図を参照すると、接続部材５８は、円柱状に形成され、この円柱状の高さ方向には円弧状の２つの穿孔が上下に対向して形成され、これらの穿孔の中央には円形状の穿孔が形成されている。
【００２７】
これら３つの穿孔は、上側から順に経路５０，５２，４４が気密に接続され、浴槽２４への熱回収後の戻り水口６０、浴槽２４からの浴槽水の出水口６２、浴槽２４への追い焚き後の戻り温水口６４として使用されている。
図４は接続部材５８が浴槽壁２４ｂに設置された状態での断面図を示している。
出水口６２は、経路５２から連続して略水平に穿孔される一方、戻り水口６０は経路５０から上方に向けて湾曲する上湾曲部（上方ガイド）６０ａを有して穿孔され、また、戻り温水口６４は経路４４から下方に向けて湾曲する下湾曲部（下方ガイド）６４ａを有して穿孔されている。すなわち、上湾曲部６０ａ及び下湾曲部６４ａは、それぞれ戻り水ＣＷ、戻り温水ＨＷの流路を上方、又は下方に変更するガイドとして機能している。
【００２８】
これにより、出水口６２では、浴槽水ＢＷが浴槽２４から経路５２に一点鎖線で示す如く略水平に流出し、一方、戻り水口６０では、戻り水ＣＷが経路５０から浴槽２４に実線矢印で示す如く上方に流入するとともに、戻り温水口６４では、戻り温水ＨＷが経路４４から浴槽２４に点線矢印で示す如く下方に流入する。
このように本実施形態では、追い焚きユニット６と熱回収ユニット８とを共用経路５２及び浴槽水循環ポンプ４６以外は独立した経路に形成し、戻り水口６０と戻り温水口６４とを別個に形成するとともに、上記の如く接続部材５８を形成することにより、戻り水ＣＷを戻り水口６０から浴槽２４に貯留される浴槽水の上方、すなわち浴槽水の水面方向に流入させることができる。
【００２９】
ここで、戻り水ＣＷは浴槽水ＢＷよりも低温となり、その密度が浴槽水ＢＷの密度よりも大きく、その荷重も重くなるため、浴槽２４に流入した戻り水ＣＷは底部２４ａに向けて流れ込む。
それ故、仮に、戻り水口６０を戻り温水口６４と共用したり、戻り水口６０を出水口６２と略同高さに位置づけたりすると、戻り水ＣＷは戻り水口６０又は出水口６２から底部２４ａにかけて滞留し、浴槽水ＢＷの低温度層が形成される。この結果、装置１を熱回収モードで運転しても、上記した浴槽水ＢＷの低温度層からの熱回収しか実施されず、装置１の熱回収効率が大幅に低下してしまう。
【００３０】
これに対し、本実施形態では、接続部材５８において、戻り水口６０を出水口６２よりも上方に位置づけ、更に、戻り水ＣＷを浴槽水ＢＷの上方、すなわち浴槽水ＢＷの水面に向けて流入させるべく上湾曲部６０ａを形成することにより、荷重の重い戻り水ＣＷを一端浴槽水ＢＷの水面まで行きわたらせた後に自重で底部２４ａに向けて流動させることができる。これにより、浴槽２４内に浴槽水ＢＷの低温度層が形成されることを防止し、且つ浴槽水ＢＷの対流を好適に促進することができ、浴槽２４に貯留される浴槽水ＢＷ全体から熱回収することができるため、熱回収ユニット８を介したヒータポンプユニット４、ひいては装置１での熱回収効率を大幅に向上することができる。
【００３１】
次に、第２実施形態について説明する。
当第２実施形態は、運転モード切換制御において、熱回収ユニット８を利用して大気熱交換器２８を除霜する除霜モードを選択可能にするものであり、他は上記第１実施形態と同一の構成をなしているため、主としてこの上記第１実施形態と異なる点について説明する。
【００３２】
制御ユニット５６は、大気熱交換器２８の凍結を検出する図示しないセンサや、装置１のユーザが操作する運転モード切換ボタン等の信号によって、除霜モードの運転要求Ｚを認識し、この要求Ｚの有無に応じて、切換弁５４、電磁弁３８，４０、浴槽水循環ポンプ４６を駆動し、更に温度センサ４２にて検出される冷媒温度に応じて膨張弁３２を開閉する。
【００３３】
以下、図５に示されるフローチャートを参照して、運転モード切換制御において待機モードから除霜モードに切り換える場合の制御ルーチンについて詳しく説明する。
先ず、本制御ルーチンがスタートされると、Ｓ１１では、要求Ｚがあるか否かを判定し、判定結果が真（Ｙｅｓ）で要求Ｚがあると判定された場合にはＳ１２に移行し、判定結果が偽（Ｎｏ）で要求Ｚがないと判定された場合には本制御ルーチンをリターンする。
【００３４】
Ｓ１２に移行した場合には、切換弁５４を熱回収熱交換器３６側に開弁するとともに、電磁弁３８，４０をともに開弁し、除霜モードの弁設定を行った後にＳ１３に移行する。  Ｓ１３では、浴槽水循環ポンプ４６を起動した後にＳ１４に移行する。
Ｓ１４では、温度センサ４２で検出された冷媒温度が０℃未満であるか否かを判定し、判定結果が真（Ｙｅｓ）で冷媒温度が０℃未満であると判定された場合にはＳ１５に移行し、判定結果が偽（Ｎｏ）で冷媒温度が０℃未満でない、すなわち０℃以上であると判定された場合にはＳ１６に移行する。
【００３５】
Ｓ１５に移行した場合には、膨張弁３２を所定の開度だけ開弁し、本制御ルーチンをリターンする。
一方、Ｓ１６に移行した場合には、膨張弁３２を所定の開度だけ閉弁し、本制御ルーチンをリターンする。
こうして、装置１は、制御ユニット５６で要求Ｚがあると認識されたときには、待機モードから除霜モードに切り換えて稼動され、一方、要求Ｚがない又はなくなったと認識されたときには、待機モードの状態にされる。また、制御ユニット５６において、要求Ｚの他に、要求Ｘ又は要求Ｙがあると認識されたときには、装置１は、追い焚き運転モード又は熱回収運転モードへ適宜切り換えられて稼働される。
【００３６】
このように、上記第１実施形態と同様、第２実施形態に係る装置１においても、浴槽水ＢＷの対流を好適に促進して装置１の熱回収効率を大幅に向上することができる。
特に当第２実施形態の場合には、除霜モードが選択されると、熱回収ユニット８を利用して大気熱交換器２８の除霜を実施することができる。
詳しくは、特に冬季に装置１を運転する場合には、外気温度が０℃未満となると大気熱交換器２８が凍結し、大気熱交換器２８、ひいてはヒートポンプユニット４における熱交換効率が大幅に低下する。
【００３７】
一方、ヒートポンプユニット４において大気から熱回収を行うためには、大気熱交換器２８に流入する冷媒の温度を外気温度以下にすべく膨張弁３２を閉弁するため、このような低温冷媒が大気熱交換器２８へ流入すると大気熱交換器２８の凍結が更に加速されてしまう。
そこで、運転モード切換制御において除霜モードの要求Ｚがあると、Ｓ１２において切換弁５４を熱回収熱交換器３６側に開弁するとともに、電磁弁３８，４０をともに開弁し、更に、温度センサ４２で検出された冷媒温度が０℃未満のときには、Ｓ１５において膨張弁３２を開弁して冷媒温度を０℃以上に昇温する。これにより、熱回収ユニット８で回収された浴槽水の回収熱で大気熱交換器２８を除霜することができるため、このような除霜のためのヒータ回路が不要となり、大気熱交換器２８における熱交換不良による圧縮機３０への液バック現象やこれに起因する圧縮機３０の焼き付きを確実に防止しつつ、ヒートポンプユニット４、ひいては装置１の構成を簡素化することができる。
【００３８】
しかも、温度センサ４２で検出された冷媒温度が０℃以上のときには、Ｓ１６において膨張弁３２を閉弁して冷媒温度を低下させ、不必要に冷媒の温度が上昇するのを防止し、大気熱交換器２８に流入する冷媒の温度が０℃をやや超えて除霜可能な範囲で安定するようにしている。これにより、熱回収熱交換器３６で浴槽水から回収した熱を大気熱交換器２８の除霜に使用し、更に残りの熱を給湯ユニット２で回収することもでき、除霜モードにおいても、熱回収ユニット８を介したヒータポンプユニット４、ひいては装置１での熱回収効率を向上できる。
【００３９】
以上で本発明の一実施形態についての説明を終えるが、本発明は上記各実施形態に限定されるものではなく、本発明の趣旨を逸脱しない範囲で種々の変更ができるものである。
例えば、上記各実施形態では、接続部材５８に戻り水口６０、出水口６２、戻り温水口６４を形成しているが、蛇口２２を撤去して給湯経路２０を接続部材５８に接続しても良い。この場合には、例えば図６に示されるように、浴槽壁２４ｂには出水口６２の下側で戻り温水口６４と隣接する位置に給湯口６６を更に設けた接続部材６８を形成する。
【００４０】
この接続部材６８は、図７，８に示される図６のＡ−Ａ、Ｂ−Ｂにおける断面図からもわかるように、給湯口６６は経路２０から下方に向けて湾曲した下湾曲部６６ａを穿孔して形成され、経路２０の流路を下方に変更するガイドとして機能している。
また、経路２０には、制御ユニット５６に電気的に接続された図示しない電磁弁又は逆止弁等が介挿されており、貯湯タンク１４から浴槽２４に向けて自動で給湯可能であって、且つ浴槽２４から貯湯タンク１４に向けての浴槽水の逆流が防止される。こうして、接続部材６８を使用することにより、給湯ユニット２、ひいては装置１の構成が更に簡素化されて好適である。
【００４１】
更に、接続部材５８，６８の形状はこれらに限定されず、少なくとも上湾曲部６０ａの如く戻り水ＣＷを上方に向けて流入させるガイドが形成されていれば良い。
最後に、上記したヒートポンプユニット４はＣＯ２冷媒を使用するものに限られるものではなく、また、本発明は風呂湯張り装置１に限らず、種々の給湯装置に適用できることは云うまでもない。
【図面の簡単な説明】
【００４２】
【図１】一実施形態の給湯装置を示した概略構成図である。
【図２】図１の制御ユニットで実行される運転モード切換制御の制御ルーチンを示したフローチャートである。
【図３】第１実施形態の接続部材を浴槽側から示した平面図である。
【図４】浴槽壁に設置した状態における図３の接続部材を示した断面図である。
【図５】図２に示される運転モード切換制御で待機モードから除霜モードに切り換える場合の制御ルーチンを示したフローチャートである。
【図６】変形例の接続部材を浴槽側から示した平面図である。
【図７】変形例の接続部材をＡ−Ａ方向からみた断面図である。
【図８】変形例の接続部材をＢ−Ｂ方向からみた断面図である。
【符号の説明】
【００４３】
１      風呂湯張り装置（給湯装置）
２      給湯ユニット
４      ヒートポンプユニット
６      追い焚きユニット
８      熱回収ユニット
１０    タンク水循環経路
１２    放熱器
２４    浴槽
２６    冷媒循環経路
２８    大気熱交換器
３０    圧縮機
３２    膨張弁
３６    熱回収熱交換器
４４    浴槽水循環経路
５０    第２浴槽水循環経路
５８    接続部材
６０    戻り水口
６２    出水口
６０ａ  上湾曲部（上方ガイド）
６４ａ  下湾曲部（下方ガイド）
６４    戻り温水口
６６    給湯口
６８    接続部材
ＢＷ    浴槽水
ＣＷ    戻り水
ＨＷ    戻り温水
【図１】
2008292075.tif 000003
【図２】
2008292075.tif 000004
【図３】
2008292075.tif 000005
【図４】
2008292075.tif 000006
【図５】
2008292075.tif 000007
【図６】
2008292075.tif 000008
【図７】
2008292075.tif 000009
【図８】
2008292075.tif 000010